(57)【特許請求の範囲】
【請求項１】
梁を逃げるためにユニットルームに形成された梁欠き部に、クリップを介し取り付けられる梁パネルであって、
該梁パネルは、
適寸に切断して必要寸法に調整可能な垂直パネル体と水平パネル体とが、Ｌ型に組み立てられ、あるいは、Ｌ型に一体形成されたパネル体と、
該パネル体の周縁全周に取り付けて前記クリップに係合される係止部材で構成されており、
該係止部材は前記パネル体を嵌め込むことのできる嵌め込み溝を備えていることを特徴とする梁パネル構造。
【発明の詳細な説明】
【０００１】
【産業上の利用分野】
この発明は、梁を逃げるためにユニットルームに取り付けられる梁パネルに関するものである。
【０００２】
【従来の技術及びその課題】
従来、例えば図６に示すように、ユニットバス１を建造物内に設置する場合に、建造物に梁が突出している場合には、その梁を逃げるために、Ｌ字状に切り欠いた梁欠き部Ｐを形成した壁パネル３，３を防水パン２上に建て付けている。
即ち、図６のように、支柱５に対し奥側の上下寸法の短い短尺壁パネル４の左右に、梁欠き部Ｐを形成した壁パネル３，３を建て付け、この各壁パネル３には図７の拡大図で示すように、内側にクリップ６，６，６，６をビスで固定しておき、このクリップ６，６，６，６に対し、図８に示すように、Ｌ字状に形成した梁パネル５１を取り付けており、従来の梁パネル５１はＬ字状に形成されて、その周縁に、クリップ６，６に係合させるための引っ掛け片５１ａ，５１ａが曲げ加工で一体形成されており、図９に示すように、引っ掛け片５１ａ，５１ａをクリップ６，６に引っ掛けて、梁パネル５１を、壁パネル３，３及び短尺壁パネル４に固定し、その後に天井パネルを取り付けていた。
従来の梁パネル５１は、予め設定された寸法のものが工場で生産されて現場へ出荷されており、現場では寸法調整ができないものであったために、誤出荷や誤発注の時などには、現場において梁パネル５１を施工できないことがあった。
【０００３】
【課題を解決するための手段】
本発明は上記従来の問題点に鑑み案出したものであって、現場で適寸に調整して施工が可能となる梁パネル構造を提供せんことを目的とし、その要旨は、梁を逃げるためにユニットルームに形成された梁欠き部に、クリップを介し取り付けられる梁パネルであって、該梁パネルは、適寸に切断して必要寸法に調整可能な垂直パネル体と水平パネル体とが、Ｌ型に組み立てられ、あるいは、Ｌ型に一体形成されたパネル体と、該パネル体の周縁全周に取り付けて前記クリップに係合される係止部材で構成されており、該係止部材は前記パネル体を嵌め込むことのできる嵌め込み溝を備えていることである。
【０００４】
【実施例】
以下、本発明の実施例を図面に基づいて説明する。
図１は、本例の梁パネルの分解断面構成図であり、また図２は、梁パネルの組立状態の断面構成図である。
【０００５】
梁パネル１０は、板状の垂直パネル体１１と、板状の水平パネル体１２を、接合部材１３によってＬ型に組み付け可能であり、また、垂直パネル体１１の上端及び水平パネル体１２の右端に、係止部材１４，１４をそれぞれ取り付け可能なものとなっている。
即ち、本例の梁パネル１０は、２枚のパネル体１１，１２と、接合部材１３と、係止部材１４，１４で構成されて、図２のように組み立てられる。
【０００６】
なお、組立状態は図３の斜視図で示すようなものとなる。
即ち、係止部材１４は、Ｌ型に組み立てられたパネル体１１，１２の周縁全周に取り付けられるものである。
なお、本例のパネル体１１，１２は板状であり、現場で適寸に切断して、必要な寸法に調整できるものであり、また、係止部材１４も現場で適当な長さに切断して、パネル体１１，１２の外周に取り付けできるものである。
【０００７】
前記接合部材１３は、垂直パネル体１１の下端を嵌め込むことのできる嵌め込み溝１３ｂと、水平パネル体１２の左端を嵌め込むことのできる嵌め込み溝１３ａを備えている。
また、係止部材１４は、パネル体１１または１２を嵌め込むことのできる嵌め込み溝１４ａを備えており、先端には突出した爪部１４ｂが一体形成されている。この爪部１４ｂは、壁パネル３，短尺壁パネル４及び天井８等にビス７で予め固定されるクリップ６のそれぞれの爪部６ａに着脱可能に係合できるものである。
【０００８】
ユニットバス１を構成する壁パネル３には、梁を逃げるために、予め垂直壁面３ａと水平壁面３ｂでＬ字状に切断して梁欠き部Ｐが形成されており、この梁欠き部Ｐに沿って、壁パネル３の内側の所定位置に、予めクリップ６をビス７で取り付けておくことができ、また、短尺壁パネル４の上端内側にもクリップ６を固定させておき、図３のように、組み立てた梁パネル１０の外周の係止部材１４をそれぞれクリップ６，６に係合させて、梁パネル１０を梁欠き部Ｐを覆うように取り付けることができるものである。その取付状態は図４の断面図で示す。
【０００９】
本例では、現場でパネル体１１，１２を適寸となるように切断加工して調整でき、その後に係止部材１４を周縁に取り付けるものであるため、現場の状況に合わせて良好に梁パネル１０の取り付け施工を行なうことができるものとなり、誤出荷や誤発注により施工ができなくなるという従来の問題点が解消されるものとなる。
【００１０】
なお、図５に変更例を示すように、パネル体１１，１２は予めＬ型に一体形成されたものであっても良く、このようなＬ型に予め形成した場合にも、それぞれのパネル体１１，１２の端部を現場で適宜切断し、現場で寸法調整できるものであり、その後に周縁に係止部材１４を取り付けて組み立てることができるものである。
【００１１】
【発明の効果】
本発明は、梁を逃げるためにユニットルームに形成された梁欠き部に、クリップを介し取り付けられる梁パネルであって、該梁パネルは、適寸に切断して必要寸法に調整可能な垂直パネル体と水平パネル体とが、Ｌ型に組み立てられ、あるいは、Ｌ型に一体形成されたパネル体と、該パネル体の周縁全周に取り付けて前記クリップに係合される係止部材で構成されており、該係止部材は前記パネル体を嵌め込むことのできる嵌め込み溝を備えていることにより、現場の状況に合わせ、パネル体を現場で切断して寸法調整することができ、その後に係止部材を周縁全周に取り付けて組み立て、係止部材をクリップに係合させて壁パネル等に良好に取り付けることができ、従来のように現場施工ができない状態が生ずることがなく、現場での施工作業を計画通り行なえるものとなる。
【図面の簡単な説明】
【図１】  梁パネルの構成部材の分解断面構成図である。
【図２】  組立状態の断面構成図である。
【図３】  組み立てた梁パネルと、壁パネルの梁欠き部周辺の斜視図を示し、梁パネルの取り付け前の作業説明図である。
【図４】  壁パネルに梁パネルを取り付けた状態の断面構成図である。
【図５】  梁パネルの別例を示す断面構成図である。
【図６】  梁を逃げるための梁欠き部を形成したユニットバスの斜視構成図である。
【図７】  壁パネルの梁欠き部内側にクリップを固定した状態の斜視構成図である。
【図８】  従来の梁パネルを取り付ける状態の作業説明図である。
【図９】  従来の梁パネルを取り付けた状態の断面構成図である。
【符号の説明】
１  ユニットバス
２  防水パン
３  壁パネル
４  短尺壁パネル
６  クリップ
６ａ  爪部
７  ビス
８  天井
１０  梁パネル
１１  垂直パネル体
１２  水平パネル体
１３  接合部材
１３ａ，１３ｂ  嵌め込み溝
１４  係止部材
１４ａ  嵌め込み溝
１４ｂ  爪部
Ｐ  梁欠き部
【図１】
0003910454.tif 000002
【図２】
0003910454.tif 000003
【図３】
0003910454.tif 000004
【図４】
0003910454.tif 000005
【図５】
0003910454.tif 000006
【図６】
0003910454.tif 000007
【図７】
0003910454.tif 000008
【図８】
0003910454.tif 000009
【図９】
0003910454.tif 000010